(57)【特許請求の範囲】
【請求項１】
器具設置板の表側に、器具設置板に設けた取付孔に合わせて配置する器具固定用の台座部材と、該器具設置板の裏側に配置する取付部材と、該台座部材と該取付部材とで該器具設置板を挟持して台座部材を固定するために、該台座部材のボルト用孔及び該取付孔を通って該取付部材に設けられたネジ孔に螺合する先螺合用ボルト及び後螺合用ボルトとを備え、該取付部材の形状及び該先螺合用ボルトの長さを、取付部材のネジ孔に先螺合用ボルトのみの先端寄りを螺合した状態で、該器具設置板の表側から裏側へ該取付孔を潜り抜けできるように形成した器具取付具であって、前記取付部材は、前記螺合する先螺合用ボルトの頭部から先端へ向かう方向に突出する弧状に形成して前記取付孔を跨ぐことができる彎曲部と、該彎曲部の両端側の各々に形成されて前記器具設置板に当接する当接部とを備え、該彎曲部の一方の当接部寄りに、前記先螺合用ボルトの螺合するネジ孔を設けたことを特徴する器具取付具。
【請求項２】
前記取付部材の彎曲部は、前記両方の当接部の中間に、両方の当接部の当接面と平行な平行領域を形成すると共に、該平行領域に前記後螺合用ボルトの螺合するネジ孔を設け、該平行領域から前記一方の当接部に至る領域の裏側面の曲率半径の寸法を、該平行領域から他方の当接部に至る領域の裏側面の曲率半径の寸法より長くした請求項１に記載の器具取付具。
【請求項３】
前記取付部材の彎曲部は、前記二つのネジ孔の間に位置した少なくとも一方の側縁に、配管挿通用の凹部を形成した請求項１又は２に記載の器具取付具。
【発明の詳細な説明】
【０００１】
【発明の属する技術分野】
本発明は、流し台のカウンターや洗面器等の器具設置板に設けた取付孔を利用して、器具設置板の表側からの作業で水栓や握り棒等の器具を簡単に取付けできるようにするための器具取付具に関するものである。
【０００２】
【従来の技術】
従来、水栓を取付けるための器具取付具１は、図８及び図９に示すように、器具設置板２の表側Ａに、器具設置板２に設けた取付孔３に合わせて配置する水栓本体固定用の台座部材４と、器具設置板２の裏側Ｂに配置する取付部材５と、台座部材４と取付部材５とで器具設置板２の取付孔周縁３ａを挟持して台座部材４を固定するために、台座部材４のボルト用孔４ａ，４ｂ及び取付孔３を通って取付部材５に設けられたネジ孔５ａ，５ｂに螺合する先螺合用ボルト６及び後螺合用ボルト７とを備えている。取付部材５の形状及び先螺合用ボルト６の長さは、取付部材５のネジ孔５ａに先螺合用ボルト６のみを螺合した状態で、器具設置板２の表側Ａから裏側Ｂへ取付孔３を潜り抜けさせることができるように形成されている。取付部材５は、器具設置板２の表側Ａから見たときの平面形状及び下面側から見たときの底面形状（図８（Ｂ）参照）がＣ字状に形成されている。
【０００３】
器具設置板２に器具取付具１を取り付ける手順は、次の通りである。先ず、図９に示すように、先螺合用ボルト６のみを台座部材４のボルト用孔４ａへ通して取付部材５のネジ孔５ａへ螺合し、先螺合用ボルト６の突出した先端に袋ナット８を螺着し、先螺合用ボルト６と共に袋ナット８を回転して取付部材５に袋ナット８を圧着させることで、取付部材５と先螺合用ボルト６とを一体化する。続けて、取付孔３へ取付部材５をその先端側５ｃから掬うようにして挿入し、取付孔３を潜り抜けた取付部材５及び先螺合用ボルト６を器具設置板２の裏側に位置させる。次に、器具設置板２の表側から先螺合用ボルト６の頭部６ａを回転させて、先螺合用ボルト６と共に回転する取付部材５のネジ孔５ｂと台座部材４のボルト用孔４ｂとを一直線上に位置させ、その後に、後螺合用ボルト７を、台座部材４のボルト用孔４ｂ及び取付孔３へ通して取付部材５のネジ孔５ｂに螺合する。更に続けて、両ボルト６，７をねじ込んで接近させる台座部材４と取付部材５とで器具設置板２の取付孔周縁３ａを挟持し、図８（Ａ）に示すように台座部材４を器具設置板２の所定位置に固定する。最後に、水栓本体からなる器具９の下端部を器具設置板２の表側Ａから台座部材４に嵌着して両者を連結することで、水栓本体からなる器具９の取付け作業を完了する。
【０００４】
【発明が解決しようとする課題】
ところで、図９に示すように取付部材５と先螺合用ボルト６とを一体化したときには、取付部材５の器具設置板２に当接する当接部５ｄを含んだ仮想平面（ｘ軸及びｙ軸が形成する平面）と先螺合用ボルト６の延びる方向（ｚ軸方向）とが直交するため、取付部材５及び先螺合用ボルト６の納まる立体空間が大きくなる。そのため、取付孔３の内径が小さい場合には、取付部材５をその先端側５ｃから取付孔３へ挿入して潜り抜けさせようとするとき、先螺合用ボルト６が邪魔になり潜り抜けできないことがある。従って、前記器具取付具１では、取付孔３の最小直径として３４〜３７ｍｍ程度が限界であり、これより小さい内径の取付孔３でもよい小型の水栓本体に適用することが不可能であった。
【０００５】
そこで、本発明は、小さい内径の取付孔にも適用できる器具取付具の提供を目的とする。
【０００６】
【課題を解決するための手段】
小さい内径の取付孔に適用できるようにするために請求項１記載の本発明が採用した手段は、器具設置板の表側に、器具設置板に設けた取付孔に合わせて配置する器具固定用の台座部材と、該器具設置板の裏側に配置する取付部材と、該台座部材と該取付部材とで該器具設置板を挟持して台座部材を固定するために、該台座部材のボルト用孔及び該取付孔を通って該取付部材に設けられたネジ孔に螺合する先螺合用ボルト及び後螺合用ボルトとを備え、該取付部材の形状及び該先螺合用ボルトの長さを、取付部材のネジ孔に先螺合用ボルトのみの先端寄りを螺合した状態で、該器具設置板の表側から裏側へ該取付孔を潜り抜けできるように形成した器具取付具であって、前記取付部材は、前記螺合する先螺合用ボルトの頭部から先端へ向かう方向に突出する弧状に形成して前記取付孔を跨ぐことができる彎曲部と、該彎曲部の両端側の各々に形成されて前記器具設置板に当接する当接部とを備え、該彎曲部の一方の当接部寄りに、前記先螺合用ボルトの螺合するネジ孔を設けたことを特徴する器具取付具である。
【０００７】
請求項１記載の本発明にあっては、取付部材の彎曲部が、先螺合用ボルトの延びる仮想平面上で先螺合用ボルトの頭部から先端へ向かう方向に突出する弧状に形成し且つ一方の当接部寄りに先螺合用ボルトを螺合するので、螺合して一体化した潜り抜け前の取付部材及び先螺合用ボルトの納まる立体空間を従来に比べて小さくでき且つ先螺合用ボルトの螺合した箇所から一方の当接部側へ突出する寸法を短くでき、更に、取付孔へ潜り抜けさせようとするときの取付部材及び先螺合用ボルトが上記仮想平面上を移動するため、取付孔の内径が従来に比べて小さいものであっても、先螺合用ボルトで邪魔されることなく取付部材及び先螺合用ボルトを円滑に潜り抜けさせることができるようになる。
【０００８】
小さい内径の取付孔から大きな内径の取付孔まで適用できるようにするために請求項２記載の本発明が採用した手段は、前記取付部材の彎曲部は、前記両方の当接部の中間に、両方の当接部の当接面と平行な平行領域を形成すると共に、該平行領域に前記後螺合用ボルトの螺合するネジ孔を設け、該平行領域から前記一方の当接部に至る領域の裏側面（前記器具設置板の裏面と対向する表側面と反対側の面）の曲率半径の寸法を、該平行領域から他方の当接部に至る領域の裏側面の曲率半径の寸法より長くした請求項１に記載の器具取付具である。
【０００９】
請求項２記載の本発明にあっては、取付部材の彎曲部のうち、潜り抜け動作の前半で先螺合用ボルトの影響を受けることなく潜り抜けする領域の裏側面の曲率半径を短くし、潜り抜け動作の後半で先螺合用ボルトの影響を受けやすい状態で潜り抜けする領域の裏側面の曲率半径を長くしたので、取付部材の彎曲部の両当接部間の弦の寸法を長くしても、小さい内径の取付孔を潜り抜けさせることができるようになる。
【００１０】
配管の貫通が容易となるようにするために請求項３記載の本発明が採用した手段は、前記取付部材の彎曲部は、前記二つのネジ孔の間に位置した少なくとも一方の側縁に、配管挿通用の凹部を形成した請求項１又は２に記載の器具取付具である。本発明にあっては、二つのボルトの間の両外側の一方へ、配管用の凹部を利用して配管を通すことができる。
【００１１】
【発明の実施の形態】
以下、本発明に係る器具取付具（以下、「本発明取付具」という）を図面に示す実施の形態に基づいて説明する。図１乃至図７は本発明取付具を水栓取付けに応用した実施の形態を示すものであって、図１は本発明取付具を用いて手洗用水栓を取付けた状態を部分断面して示す正面図、図２は同取付け状態を部分断面して示す左側面図、図３は本発明取付具の取付部材を取付孔へ挿入して潜り抜けさせようとしている途中の状態を断面して示す正面図、図４は取付孔を潜り抜けた本発明取付具の取付部材へ後螺合用ボルトを螺着させようとする直前の状態を断面して示す正面図、図５は本発明取付具の台座部材を示すものであって、同図（Ａ）は正面図、同図（Ｂ）は平面図、同図（Ｃ）は底面図、図６（Ａ）は図５（Ｂ）のａ−ａ線で断面した正面図、同図（Ｂ）は図５（Ｂ）のｂ−ｂ線で断面した右側面図、図７は本発明取付具の取付部材を示すものであって、同図（Ａ）は断面した正面図、同図（Ｂ）は平面図である。
【００１２】
本発明取付具１１は、図１及び図２に示す如く、手洗用水栓本体からなる器具１９を水栓設置板である器具設置板１２に取り付けるためのものであって、器具設置板１２の表側Ａに、器具設置板１２に設けた取付孔１３に合わせて配置する器具固定用の台座部材１４と、器具設置板１２の裏側Ｂに配置する取付部材１５と、台座部材１４と取付部材１５とで器具設置板１２の取付孔１３の周縁を挟持して台座部材１４を固定するために、台座部材１４のボルト用孔１４ａ，１４ｂ（図４参照）及び取付孔１３を通って取付部材１５に設けられたネジ孔１５ａ，１５ｂに螺合する先螺合用ボルト１６及び後螺合用ボルト１７とを備えている。取付部材１５の形状及び先螺合用ボルト１６の長さは、図３及び図４に示す如く、取付部材１５のネジ孔１５ａに先螺合用ボルト１６の先端部１６ｂのみを螺合した状態で、取付部材１５及び先螺合用ボルト１６を器具設置板１２の表側Ａから裏側Ｂへ取付孔１３を潜り抜けできるように形成してある。
【００１３】
前記台座部材１４は、図３及び図４に示す如く、部材本体２１と、部材本体２１に嵌着したシールリング２２と、部材本体２１の底面に接合した環状パッキング２３とを備えている。部材本体２１は、図５及び図６に示す如く、金属素材又は合成樹脂素材から全体が成形され、短筒部２１ａと、短筒部２１ａの下端から張り出す鍔部２１ｂと、短筒部２１ａの内周下端縁から下方へ突設する複数個の位置決め用突起部２１ｃとを備えている。部材本体２１は、短筒部２１ａを上下方向へ貫通する貫通孔２１ｄに、水栓本体からなる器具１９の配管２４（図１参照）及び配線２５を挿通させ、短筒部２１ａを上下方向へ貫通するボルト用孔１４ａ，１４ｂに、先螺合用ボルト１６（図４参照）及び後螺合用ボルト１７を挿通させ、更に、短筒部２１ａの外周面に設けた環状凹溝２１ｅに、シールリング２２（図１，２参照）を嵌着させるようにしてある。シールリング２２は、台座部材１４に外嵌装着した水栓本体からなる器具１９との間の密着性を確保するためのものである。部材本体２１は、短筒部２１ａに設けたネジ孔２１ｆ（図５（Ａ）参照）に、器具１９側からセットネジ２６（図１及び図２参照）を螺着させ、台座部材１４に嵌着した器具１９が台座部材１４から抜けないようにしてある。
【００１４】
前記取付部材１５は、図１に示す如く、前記取付孔１３を跨ぐことができる長さの彎曲部２８と、彎曲部２８の両端側の各々に形成されて前記器具設置板１２の下面に当接する当接部２９，３０とを備え、彎曲部２８の一方の当接部２９寄りに、先螺合用ボルト１６の螺合するネジ孔１５ａを設けてある。彎曲部２８は、図３に示す如く、潜り抜けのために先端部１６ｂを螺合した先螺合用ボルト１６の頭部１６ａから先端部１６ｂに向かう矢符Ｄ方向へ沿って突出する弧状に形成してある。彎曲部２８は、金属素材又は合成樹脂素材から全体が成形され、取付部材１５が水栓載置板１２を挟圧するときの曲げに対する剛性を大きくしてある。当接部２９，３０は、器具設置板１２に対して滑り難く圧着するように、ゴム等からなる滑止め板３１，３２を取着してある。
【００１５】
前記取付部材１５の彎曲部２８は、小さい内径の取付孔１３から大きな内径の取付孔１３まで適用できるようにするために、図７に示す如く、両方の当接部２９，３０の中間に、両方の当接部２９，３０の当接面２９ａ，３０ａと平行な平行領域２８ａを形成すると共に、平行領域２８ａに後螺合用ボルト１７（図４参照）の螺合するネジ孔１５ｂを設け、平行領域２８ａから一方の当接部２９に至る後潜り抜け領域２８ｂの裏側面の曲率半径Ｒ１（例えば、Ｒ１＝４０ｍｍ）、を、平行領域２８ａから他方の当接部３０に至る先潜り抜け領域２８ｃの裏側面の曲率半径Ｒ２（例えば、Ｒ２＝１８ｍｍ）より２〜３倍長くしてある。彎曲部２８は、先螺合用ボルト１６の影響を受けることなく先に潜り抜けする領域２８ｃの裏側面の曲率半径Ｒ２を短くし、先螺合用ボルト１６の影響を受けやすい状態で後で潜り抜けする領域２８ｂの裏側面の曲率半径Ｒ１を長くしたので、両方の当接部２９，３０に跨がる弦長さＬを長くしても、大きい内径の取付孔１３は勿論のこと、小さい内径の取付孔１３を潜り抜けさせることができるようになる。
【００１６】
前記取付部材１５は、水栓本体からなる器具１９の通水のための配管２４（図１参照）及び器具１９に備えた手検出器３４の配線２５の貫通作業が容易となるように、図７に示す如く、彎曲部２８の二つのネジ孔１５ａ，１５ｂの間に位置する両方の側縁に、凹部３５，３５を設けている。配線２５が不要な場合には、凹部３５を配管用の１個とすることもある。
【００１７】
前記取付部材１５は、図７に示す如く、彎曲部２８の水平領域２８ａの表側面（器具設置板１２と対向する面）にボルト捕捉具３６を取着し、ボルト捕捉具３６の軸芯とボルト孔１５ｂの軸芯とを一致させてある。ボルト捕捉具３６は、二つの挟持片３６ｂ，３６ｂの間に、後螺合用ボルト１７の先端部を侵入させるための間隙部３６ａを形成してある。
【００１８】
本発明器具取付具１を用いて水栓本体からなる器具１９を器具設置板１２に取り付ける手順は、次の通りである。先ず、図３に示すように、先螺合用ボルト１６のみを台座部材１４のボルト用孔１４ａへ通して取付部材１５のネジ孔１５ａへ螺合し、先螺合用ボルト１６の突出した先端に袋ナット８を螺着し、先螺合用ボルト１６と共に袋ナット８を回転して取付部材１５に袋ナット８を圧着させることで、取付部材１５と先螺合用ボルト１６とを一体化する。続けて、取付孔１３へ取付部材１５をその先端側１５ｃから掬うようにして挿入し、取付孔１３を潜り抜けた取付部材１５及び先螺合用ボルト１６を器具設置板１２の裏側Ｂに位置させる。
【００１９】
このときの取付部材１５の彎曲部２８は、先螺合用ボルト１６の延びる仮想平面上で先螺合用ボルト１６の頭部１６ａから先端１６ｂへ向かう方向に突出する弧状であり、且つ一方の当接部２９寄りに偏るように先螺合用ボルト１６を螺合した状態である。そのため、螺合して一体化した潜り抜け前の取付部材１５及び先螺合用ボルト１６は、両者の納まる立体空間を従来に比べて小さくなり且つ先螺合用ボルト１６の螺合した箇所から一方の当接部２９側へ突出する寸法も短くできる。更に、取付孔１３へ潜り抜けさせようとするときの取付部材１５及び先螺合用ボルト１６は、上記仮想平面上を移動するため、取付孔１３の内径が従来に比べて小さいもの（例えば、取付孔１３の直径として２５ｍｍ程度）であっても、先螺合用ボルト１６で邪魔されることなく円滑に潜り抜けることができるようになる。取付部材１５及び先螺合用ボルト１６が取付孔１３を潜り抜けたならば、図４に示す如く、台座部材１４の複数個の位置決め用突起部２１ｃを、取付孔１３へ内嵌して台座部材１４の位置決めを行う。
【００２０】
次に、図４に示す如く、後螺合用ボルト１７を、台座部材１４のボルト用孔１４ｂ及び取付孔１３へ挿入する。後螺合用ボルト１７の長さ寸法は、挿入したときの先端１７ｂが、取付部材１５の彎曲部２８に当接することなく、ボルト捕捉具３６で捕捉される位置に停止するようにしてある。続けて、器具設置板１２の表側Ａから先螺合用ボルト１６の頭部１６ａをドライバー等で回転させて、先螺合用ボルト１６と共に回転する取付部材１５のボルト捕捉具３６で後螺合用ボルト１７の先端１７ｂを捕捉する。更に続けて、両ボルト１６，１７をねじ込んで接近する台座部材１４と取付部材１５とで器具設置板１２の取付孔周縁１３ａを挟持し、図１及び図２に示すように台座部材１４を器具設置板１２の所定位置に固定する。最後に、水栓本体からなる器具１９の配管２４及び配線２５を器具設置板１２の表側Ａから本発明取付具１１へ挿通し、器具１９の下端部を台座部材１４に嵌着して両者をセットネジ２６で連結して、水栓本体からなる器具１９の取付け作業を完了する。
【００２１】
前記実施の形態は、本発明取付具１１を水栓本体からなる器具１９の取付けに用いるものであるが、器具１９を浴室の壁面等に取付ける握り棒等に変更することも勿論可能である。なお、器具１９に配管や配線を施す必要がないときには、取付部材１５の彎曲部２８に設ける凹部３５，３５を省略できる。
【００２２】
【発明の効果】
請求項１記載の本発明取付具は、先螺合用ボルトで邪魔されることなく取付部材及び先螺合用ボルトを円滑に潜り抜けさせることができるので、従来より小さい内径の取付孔に適用できるようになる。
【００２３】
請求項２記載の本発明取付具は、取付部材の弧状の彎曲部の弦寸法を長くしても、小さい内径の取付孔を潜り抜けさせることができるため、小さい内径の取付孔から大きな内径の取付孔まで適用できるようになる。
【００２４】
請求項３記載の本発明取付具は、彎曲部の配管用の凹部を利用して配管を通すことができるため、配管作業を必要とする水栓等の器具の取付け作業が容易となる。
【図面の簡単な説明】
【図１】本発明取付具を用いて手洗用水栓からなる器具を取付けた状態を部分断面して示す正面図である。
【図２】同取付け状態を部分断面して示す左側面図である。
【図３】本発明取付具の取付部材を取付孔へ挿入して潜り抜けさせようとしている途中の状態を断面して示す正面図である。
【図４】取付孔を潜り抜けた本発明取付具の取付部材へ後螺合用ボルトを螺着させようとする直前の状態を断面して示す正面図である。
【図５】本発明取付具の台座部材を示すものであって、（Ａ）は正面図、（Ｂ）は平面図、（Ｃ）は底面図である。
【図６】（Ａ）は図５（Ｂ）のａ−ａ線で断面した正面図、（Ｂ）は図５（Ｂ）のｂ−ｂ線で断面した右側面図である。
【図７】本発明取付具の取付部材を示すものであって、同図（Ａ）は断面した正面図、同図（Ｂ）は平面図である。
【図８】（Ａ）は従来の器具取付具を用いて水栓を取付けた状態を部分断面して示す正面図、（Ｂ）はその底面図である。
【図９】取付孔へ従来の器具取付具を潜り抜けさせようとする前の状態を示す斜視図である。
【符号の説明】
１２…器具設置板、１３…取付孔、１４…台座部材、１５…取付部材、１５ａ，１５ｂ…ネジ孔、１６…先螺合用ボルト、１７…後螺合用ボルト、２８…彎曲部，２９，３０…当接部、Ａ…表側、Ｂ…裏側
【図１】
0004415297.tif 000002
【図２】
0004415297.tif 000003
【図３】
0004415297.tif 000004
【図４】
0004415297.tif 000005
【図５】
0004415297.tif 000006
【図６】
0004415297.tif 000007
【図７】
0004415297.tif 000008
【図８】
0004415297.tif 000009
【図９】
0004415297.tif 000010